(57)【要約】      （修正有）【課題】携帯端末に音声コンテンツを提供する際に音声データを変換する方法を提供する。【解決手段】携帯端末からネットワーク上のコンテンツサーバに音声データの取得要求をしたのを受けて、ネットワーク上の音声データ変換サーバが携帯端末へ音声データを変換した上で提供する音声データ変換方法であって、音声データ変換サーバが、コンテンツサーバから、携帯端末の音声データ取得要求及び取得要求された対象である音声データに関する情報とを、受け取る音声データ変換要求取得ステップと、音声データ変換サーバが、取得要求された対象である音声データを基本データフォーマットの形式で取得した上で、基本データフォーマットに対して携帯端末の機種に応じた音声データ変換を施す音声データ変換ステップと、音声データ変換サーバが、変換後の音声データを携帯端末へ提供する。【選択図】    図１
2004151795.tif 000002
【特許請求の範囲】
【請求項１】
携帯端末からネットワーク上のコンテンツサーバに音声データの取得要求をしたのを受けて、前記ネットワーク上の音声データ変換サーバが当該携帯端末へ音声データを変換した上で提供する音声データ変換方法であって、
前記音声データ変換サーバが、前記コンテンツサーバから、前記携帯端末の音声データ取得要求及び該取得要求された対象である音声データに関する情報とを、受け取る音声データ変換要求取得ステップと、
前記音声データ変換サーバが、取得要求された対象である音声データを基本データフォーマットの形式で取得した上で、基本データフォーマットのデータに対して前記携帯端末の機種に応じた音声データ変換を施す音声データ変換ステップと、
前記音声データ変換サーバが、変換後の音声データを前記携帯端末へ提供する音声データ提供ステップと
を有する音声データ変換方法。
【請求項２】
請求項１に記載した音声データ変換方法であって、前記音声データ提供ステップにおける音声データの提供は、変換後の音声データがネットワーク上に置かれているアドレスを前記携帯端末の画面上に表示して、前記携帯端末がダウンロード可能にすることである音声データ変換方法。
【請求項３】
請求項１に記載した音声データ変換方法であって、前記音声データ提供ステップにおける音声データの提供は、変換後の音声データがネットワーク上に置かれているアドレスをメールにて前記携帯端末に送信して前記携帯端末がダウンロード可能にすることである音声データ変換方法。
【請求項４】
請求項１に記載した音声データ変換方法であって、前記音声データ提供ステップにおける音声データの提供は、変換後の音声データそのものをメールに添付して前記携帯端末に送信することである音声データ変換方法。
【請求項５】
携帯端末から音声データの変換要求をしたのを受けて、前記ネットワーク上の音声データ変換サーバが当該携帯端末へ音声データを変換した上で提供する音声データ変換方法であって、
前記音声データ変換サーバが、前記携帯端末から音声データ変換要求及び該変換要求された対象である音声データに関する情報とを、受け取る音声データ変換要求取得ステップと、
前記音声データ変換サーバが、取得要求された対象である音声データを基本データフォーマットの形式で取得した上で、基本データフォーマットのデータに対して前記携帯端末の機種に応じた音声データ変換を施す音声データ変換ステップと、
前記音声データ変換サーバが、変換後の音声データを前記携帯端末へ提供する音声データ提供ステップと
を有する音声データ変換方法。
【請求項６】
請求項５に記載した音声データ変換方法であって、前記音声データ提供ステップにおける音声データの提供は、ネットワーク上に置かれているアドレスをメールにて前記携帯端末に送信して前記携帯端末がダウンロード可能にすることである音声データ変換方法。
【請求項７】
請求項５に記載した音声データ変換方法であって、前記音声データ提供ステップにおける音声データの提供は、変換後の音声データをメールに添付して前記携帯端末に送信することである音声データ変換方法。
【発明の詳細な説明】
【０００１】
【発明の属する技術分野】本発明は、携帯電話やＰＤＡ（パーソナルデジタルアシスタント）、電子手帳などの携帯端末に音声を提供する方法に関する。
【０００２】
【従来の技術】従来は、携帯端末の機種ごとに音声データを用意してサーバに備えていた。したがって、携帯端末の機種が数十種類ある場合には、一つの音声について数十のファイルを備えることとなっていた。図４は、従来までの携帯端末とコンテンツサーバーとのやり取りを説明するラダー図である。図４に示すように、携帯端末種別ごとの音声データをあらかじめ用意しておく必要があったために、図では、一つの音声データについて８種のファイルを用意している様子が示されている。
【０００３】
【発明が解決しようとする課題】数十のファイルの数を音声データの種類ごとに設けるとサーバのディスクを圧迫し、コンテンツ提供者にとっては、設備とコストの問題が生じていた。
【０００４】本発明の発明者は、音声データのファイルを一つにして、必要に応じて変換する変換サーバを設けることにより、音声コンテンツの提供を簡便にする方法があることに気づいた。本発明は、携帯端末に音声コンテンツを提供する際に音声データを変換する方法を提供することを目的とする。
【０００５】
【課題を解決する手段】上記課題を解決すべく、請求項１に記載した発明は、携帯端末からネットワーク上のコンテンツサーバに音声データの取得要求をしたのを受けて、前記ネットワーク上の音声データ変換サーバが当該携帯端末へ音声データを変換した上で提供する音声データ変換方法であって、前記音声データ変換サーバが、前記コンテンツサーバから、前記携帯端末の音声データ取得要求及び該取得要求された対象である音声データに関する情報とを、受け取る音声データ変換要求取得ステップと、前記音声データ変換サーバが、取得要求された対象である音声データを基本データフォーマットの形式で取得した上で、基本データフォーマットに対して前記携帯端末の機種に応じた音声データ変換を施す音声データ変換ステップと、前記音声データ変換サーバが、変換後の音声データを前記携帯端末へ提供する音声データ提供ステップとを有するものである。
【０００６】請求項２に記載した発明は、請求項１に記載した音声データ変換方法であって、前記音声データ提供ステップにおける音声データの提供は、変換後の音声データがネットワーク上に置かれているアドレスを前記携帯端末の画面上に表示して、前記携帯端末がダウンロード可能にするものである。
【０００７】請求項３に記載した発明は、請求項１に記載した音声データ変換方法であって、前記音声データ提供ステップにおける音声データの提供は、変換後の音声データがネットワーク上に置かれているアドレスをメールにて前記携帯端末に送信して前記携帯端末がダウンロード可能にしたものである。
【０００８】請求項４に記載した発明は、請求項１に記載した音声データ変換方法であって、前記音声データ提供ステップにおける音声データの提供は、変換後の音声データをメールに添付して前記携帯端末に送信するものである。
【０００９】請求項５に記載した発明は、携帯端末から音声データの変換要求をしたのを受けて、前記ネットワーク上の音声データ変換サーバが当該携帯端末へ音声データを変換した上で提供する音声データ変換方法であって、前記音声データ変換サーバが、前記携帯端末から音声データ変換要求及び該変換要求された対象である音声データに関する情報とを、受け取る音声データ変換要求取得ステップと、前記音声データ変換サーバが、取得要求された対象である音声データを基本データフォーマットの形式で取得した上で、基本データフォーマットに対して前記携帯端末の機種に応じた音声データ変換を施す音声データ変換ステップと、前記音声データ変換サーバが、変換後の音声データを前記携帯端末へ提供する音声データ提供ステップとを有するものである。
【００１０】請求項６に記載した発明は、請求項５に記載した音声データ変換方法であって、前記音声データ提供ステップにおける音声データの提供は、ネットワーク上に置かれているアドレスをメールにて前記携帯端末に送信して前記携帯端末がダウンロード可能にするものである。
【００１１】請求項７に記載した発明は、請求項５に記載した音声データ変換方法であって、前記音声データ提供ステップにおける音声データの提供は、変換後の音声データをメールに添付して前記携帯端末に送信するものである。
【００１２】
【発明の実施の形態】以下、図面を参照しつつ、本発明の実施形態について説明する。図１は、本発明における携帯端末とコンテンツサーバーと音声データ変換サーバーとのやり取りを説明するラダー図である。携帯端末Ｃは、数十種類の携帯端末（携帯電話、ＰＤＡなどを含む。）のうちの特定の一つの機種である。コンテンツサーバーが提供可能な音声データのうちの００１番の音声データを携帯端末が取得要求する場合に、本発明では、コンテンツサーバーは、多くの音声データを持たずに、００１番のコンテンツについては、たった一つの音声データ（以下、「基本データフォーマット」と呼ぶ。）を持つ。音声データは例えばＷＡＶファイルであって、基本ヘッダー部、音声データ部、基本フッター部から構成される（図３の左側参照）。携帯端末が実際に必要とするフォーマットは図３の右側に示すような機種別データフォーマットのものである。すなわち、機種別ヘッダー部、音声データ部、機種別フッター部を有するものである（図３の右側参照）。図３の右側と左側とで、音声データ部という言葉を共用したが、ほぼ同様のものである。したがって、ヘッダーとフッターとを変えることで本発明の変換がなされることになる。
【００１３】図１で、音声データ変換サーバーは、携帯端末、コンテンツサーバーと同一のネットワーク上に設けられたサーバーであって、図３の左側のデータ構造のものを右側のものに変換する役割を果たすプログラムを実行する。変換処理をするには、携帯端末の機種情報を取得する必要があるが、「ＨＴＴＰ＿ＵＳＥＲ＿ＡＧＥＮＴ」と呼ばれる情報を参照することにより、機種情報を取得する。音声データ（ＷＡＶファイル）の取得には、前記コンテンツサーバーからそのアドレス情報を得てアクセスして取得するやり方がなされ得る。データ変換が完了すると、変換後のファイルを前記携帯端末に提供するが、携帯端末の表示画面にアドレスを表示してダウンロード可能にするやり方、メールにてアドレス情報を送信してダウンロード可能にするやり方、メールにて変換後のファイルそのものを送るやり方などを用いることができる。
【００１４】図２は、本発明における音声データ変換サーバ処理フローを示すフローチャートである。この変換サーバーが起動すると（ステップ１０）、携帯端末の機種情報を「ＨＴＴＰ＿ＵＳＥＲ＿ＡＧＥＮＴ」を参照して取得する（ステップ２０）、そして、コンテンツサーバーから基本データフォーマットのアドレス情報を得て、アクセスして基本データフォーマットを取得する（ステップ３０）。取得した基本データフォーマットから音声データ部を切り出す（ステップ４０）。そして、基本データフォーマットに対して変換を加えて、さらに必要なヘッダー部、フッター部を加えて携帯端末用の音声フォーマットデータを作成する（ステップ５０）。音声フォーマットデータをダウンロードするためのタグを前記携帯端末の画面に表示する（ステップ６０）。以上で、この変換サーバの処理が終了する（ステップ７０）。
【００１５】
【実施例】上述の実施形態では、ネットワークに携帯端末がアクセスしてつながっている状態での音声データ変換サーバーの動作を説明したが、メールにより音声データ変換サーバーのサービスを受けることとする実施例も可能である。その場合、音声データ変換サーバーの処理内容はほぼ同様である。変換後のファイルを前記携帯端末に提供する手段は、メールにてアドレス情報を送信してダウンロード可能にするやり方、メールにて変換後のファイルを送るやり方を用いることができる。
【００１６】ＷＡＶファイルの例を挙げたが、ほかのファイル形態で行うことを排除するものではなく、他のファイルで実施することも考えられる。音声データという言葉における「音声」は、着信メロディーを初めとする携帯端末着信音を念頭に置いているが、他の音声を排除するものではない。
【００１７】
【効果】本発明は以上のように構成されているから、コンテンツ制作を容易にし、新機種の対応が容易な音声データ提供が可能となる。また、データ管理上も利便性が高い。
【図面の簡単な説明】
【図１】本発明における携帯端末とコンテンツサーバーと音声データ変換サーバーとのやり取りを説明するラダー図である。
【図２】本発明における音声データ変換サーバ処理フローを示すフローチャートである。
【図３】変換サーバ内の変換手順を説明する図である。
【図４】従来までの携帯端末とコンテンツサーバーとのやり取りを説明するラダー図である。
【符号の説明】
【図１】
2004151795.tif 000003
【図２】
2004151795.tif 000004
【図３】
2004151795.tif 000005
【図４】
2004151795.tif 000006